(57)【要約】【課題】透過部材に接触させながら移動する清掃部材によって掻き集められた異物を、効果的に回収することができる露光装置、及び画像形成装置を得る。【解決手段】ユーザが清掃部１０６を装置本体１０Ａの奥側に押し込と、清掃部１０６の先端側に掻き集められた異物は、回収部８２へ落下して回収部８２で回収される。その後、拭取部１１２が凹凸部８０と擦れ、拭取部１１２に付着して回収部８２によって回収されなかった異物は、拭取部１１２から剥離して凹凸部８０で回収される。このように、清掃部１０６が凹凸部８０を通過する前に、清掃部１０６の先端側に掻き集められた異物が、回収部８２で回収されることで、移動する清掃部材１００によって掻き集められた異物が、効果的に回収される。【選択図】図１
2013193382.tif 000002
【特許請求の範囲】
【請求項１】
筐体の内部に設けられ、回転する像保持体の表面に静電潜像を形成するための光を出射する光源と、
前記筐体の外周面に取り付けられ、一方向に延び、前記光源によって出射されて前記像保持体に向かう光を透過させる透過部材と、
前記透過部材に対して前記一方向の一側に形成され、前記透過部材に接触しながら前記一方向の他側から前記一方向の一側に向けて移動して前記透過部材に付着した異物を拭き取る清掃部材と擦れて、前記清掃部材に付着した異物を前記清掃部材から剥離させる剥離部と、
前記剥離部と前記透過部材との間で、前記剥離部よりも深く形成され、移動する前記清掃部材によって、前記透過部材の前記一方向の一側から落ちる異物を回収する回収部と、
を備える露光装置。
【請求項２】
前記透過部材において前記一方向に対して交差する幅方向の外側で、前記透過部材に対して前記筐体の内部側に入り込むように形成され、移動する前記清掃部材によって、前記透過部材の前記幅方向の端部から落ちる異物を回収する外側回収部が備えられる請求項１に記載の露光装置。
【請求項３】
請求項１又は２に記載の露光装置と、
前記露光装置から出射された光により表面に静電潜像が形成される像保持体と、
前記像保持体の表面に形成された静電潜像を現像剤で現像する現像器と、
を備える画像形成装置。
【発明の詳細な説明】
【技術分野】
【０００１】
本発明は、露光装置、及び画像形成装置に関する。
【背景技術】
【０００２】
特許文献１に記載の画像形成装置は、感光体に露光を施すための露光用窓に設けられた透明な防塵部材の表面を清掃するために設けられた清掃部材と、清掃部材を防塵部材の表面に沿って移動させるために案内する部材とを備えている。さらに、画像形成装置は、清掃部材を防塵部材の表面から離間した状態で防塵部材の奥側の端部まで挿入する往路専用通路と、清掃部材を防塵部材の表面に接触させて清掃を行う復路専用通路とを備えている。
【先行技術文献】
【特許文献】
【０００３】
【特許文献１】特開２００９−２５８７１２号公報
【発明の概要】
【発明が解決しようとする課題】
【０００４】
本発明の課題は、透過部材に接触させながら移動する清掃部材によって掻き集められた異物を、効果的に回収することである。
【課題を解決するための手段】
【０００５】
本発明の請求項１に係る露光装置は、筐体の内部に設けられ、回転する像保持体の表面に静電潜像を形成するための光を出射する光源と、前記筐体の外周面に取り付けられ、一方向に延び、前記光源によって出射されて前記像保持体に向かう光を透過させる透過部材と、前記透過部材に対して前記一方向の一側に形成され、前記透過部材に接触しながら前記一方向の他側から前記一方向の一側に向けて移動して前記透過部材に付着した異物を拭き取る清掃部材と擦れて、前記清掃部材に付着した異物を前記清掃部材から剥離させる剥離部と、前記剥離部と前記透過部材との間で、前記剥離部よりも深く形成され、移動する前記清掃部材によって、前記透過部材の前記一方向の一側から落ちる異物を回収する回収部と、を備えることを特徴とする。
【０００６】
本発明の請求項２に係る露光装置は、請求項１に記載の露光装置において、前記透過部材において前記一方向に対して交差する幅方向の外側で、前記透過部材に対して前記筐体の内部側に入り込むように形成され、移動する前記清掃部材によって、前記透過部材の前記幅方向の端部から落ちる異物を回収する外側回収部が備えられることを特徴とする。
【０００７】
本発明の請求項３に係る画像形成装置は、請求項１又は２に記載の露光装置と、前記露光装置から出射された光により表面に静電潜像が形成される像保持体と、前記像保持体の表面に形成された静電潜像を現像剤で現像する現像器と、を備えることを特徴とする。
【発明の効果】
【０００８】
本発明の請求項１の露光装置によれば、剥離部と透過部材との間に、移動する清掃部材によって、透過部材の一方向の一側から落ちる異物を回収する回収部が備えられていない場合と比して、透過部材に接触させながら移動する清掃部材によって掻き集められた異物を、効果的に回収することができる。
【０００９】
本発明の請求項２の露光装置によれば、透過部材の幅方向の外側に、移動する清掃部材によって、透過部材の幅方向の端部から落ちる異物を回収する外側回収部が備えられていない場合と比して、移動する清掃部材によって掻き集められた異物を、効果的に回収することができる。
【００１０】
本発明の請求項３の画像形成装置によれば、請求項１又は２に記載の露光装置が備えられていない場合と比して、露光装置の透過部材の汚れに起因する出力画像の劣化を抑制することができる。
【図面の簡単な説明】
【００１１】
【図１】本発明の実施形態に係る露光装置と、露光装置の透過ガラスを清掃するのに用いられる清掃部材とを示した断面図である。
【図２】本発明の実施形態に係る露光装置を示した拡大斜視図である。
【図３】本発明の実施形態に係る画像形成装置に形成され、清掃部材が挿入される開口を示した拡大正面図である。
【図４】本発明の実施形態に係る画像形成装置に形成され、清掃部材が挿入される開口を示した正面図である。
【図５】本発明の実施形態に係る露光装置の透過ガラスを清掃するのに用いる清掃部材を示した斜視図である。
【図６】本発明の実施形態に係る画像形成装置を示した正面図である。
【図７】本発明の実施形態に係る画像形成装置を示した斜視図である。
【図８】本発明の実施形態に係る画像形成装置を示した概略構成図である。
【発明を実施するための形態】
【００１２】
本発明の実施形態に係る露光装置、及び画像形成装置の一例を図１〜図８に従って説明する。なお図中に示す矢印Ｖは鉛直方向を示し、矢印Ｈは水平方向であって装置左右方向を示し、矢印Ｄは水平方向であって装置奥行方向を示す。
（全体構成）
図８に示されるように、画像形成装置１０の装置本体１０Ａの内部には、入力される画像データに対して画像処理を行なう画像処理部１２が設けられている。
【００１３】
この画像処理部１２は、入力された画像データをイエロー（Ｙ）、マゼンタ（Ｍ）、シアン（Ｃ）、ブラック（Ｋ）の４色の階調データに処理するようになっている。そして、画像処理部１２によって処理された階調データを受け取って、レーザ光ＬＢによる画像露光を行う露光装置１４が装置本体１０Ａ内の中央側に設けられている。
【００１４】
また、露光装置１４の鉛直方向上方には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向に対して傾斜する方向に間隔をおいて配置され、装置本体１０Ａに着脱可能とされている。この画像形成ユニット１６Ｙ、１６Ｍ、１６Ｃ、１６Ｋで、各色のトナー画像が形成されるようになっている。なお、Ｙ、Ｍ、Ｃ、Ｋを区別して説明する必要が無い場合は、Ｙ，Ｍ，Ｃ，Ｋを省略して記載することがある。
【００１５】
一方、各色の画像形成ユニット１６の鉛直方向上方には、各色の画像形成ユニット１６で形成されたトナー画像が多重に転写される一次転写ユニット１８が設けられている。さらに、一次転写ユニット１８の側方（図中右側）には、後述する供給搬送ユニット３０によって搬送経路６０に沿って搬送された記録媒体としてのシート部材Ｐに、一次転写ユニット１８に多重に転写されたトナー画像を転写する二次転写ロール２２が設けられている。
【００１６】
二次転写ロール２２に対してシート部材Ｐの搬送方向下流側には、シート部材Ｐに転写されたトナー画像を熱及び圧力によってシート部材Ｐに定着させる定着装置２４が設けられている。また、この定着装置２４に対してシート部材Ｐの搬送方向下流側には、トナー画像が定着したシート部材Ｐを画像形成装置１０の装置本体１０Ａの上部に設けられた排出部２６に排出する排出ロール２８が設けられている。
【００１７】
一方、露光装置１４の鉛直方向下方及び側方には、シート部材Ｐを供給し搬送する供給搬送ユニット３０が設けられている。
【００１８】
〔画像形成ユニット〕
先ず、画像形成ユニット１６について説明する。
【００１９】
各色の画像形成ユニット１６は、すべて同様に構成されている。そして、各色の画像形成ユニット１６は、回転する円柱状の像保持体３４と、この像保持体３４の外周面を帯電させる帯電部材３６と、帯電した像保持体３４の外周面に前述した露光装置１４の画像露光によって形成された静電潜像を現像剤（トナー）で現像してトナー画像とする現像器３８と、像保持体３４の外周面を清掃する清掃ブレード（図示省略）とを備えている。
【００２０】
〔露光装置〕
次に、露光装置１４について説明する。
【００２１】
露光装置１４の筐体１４Ａの内部には、回転多面鏡であるポリゴンミラー３２が配置されている。光源の一例としての半導体レーザ５４から出射されたレーザ光ＬＢ−Ｙ、ＬＢ−Ｍ、ＬＢ−Ｃ、ＬＢ−Ｋは、シリンドリカルレンズ（図示省略）を介してこのポリゴンミラー３２に照射され、このポリゴンミラー３２によって主走査方向に偏向走査されるようになっている。そして、このポリゴンミラー３２によって偏向走査されたレーザ光ＬＢ−Ｙ、ＬＢ−Ｍ、ＬＢ−Ｃ、ＬＢ−Ｋは、結像レンズ及び複数枚のミラー（図示省略）を介して、像保持体３４上の露光位置に、斜め下方から走査露光されるようになっている。
【００２２】
このように、露光装置１４は、斜め下方から像保持体３４上を走査露光するものである。このため、この露光装置１４には、上方に位置する各色の画像形成ユニット１６に備えられた現像器３８等からトナー等の異物が落下する虞が有る。そこで、筐体１４Ａの外周面において上方を向いた部分には、４本のレーザ光ＬＢ−Ｙ、ＬＢ−Ｍ、ＬＢ−Ｃ、ＬＢ−Ｋを、各色の画像形成ユニット１６の像保持体３４上に向けて透過させる透明なガラス製の透過部材の一例としての透過ガラス４０Ｙ、４０Ｍ、４０Ｃ、４０Ｋが設けられている。
【００２３】
なお、透過ガラス４０を清掃するために露光装置１４に備えられた構成（形状）等については、詳細を後述する。
【００２４】
〔一次転写ユニット・二次転写ロール〕
次に、一次転写ユニット１８及び二次転写ロール２２について説明する。
【００２５】
一次転写ユニット１８は、各色の画像形成ユニット１６の鉛直方向上方に配置されている。この一次転写ユニット１８は、無端状の中間転写ベルト４２と、中間転写ベルト４２が巻き掛けられ回転駆動して中間転写ベルト４２を矢印Ａ方向に周回させる駆動ロール４６と、中間転写ベルト４２が巻き掛けられ、中間転写ベルト４２に張力を付与する張力付与ロール４８と、張力付与ロール４８の鉛直方向上方に配置されて中間転写ベルト４２と従動回転する従動ロール５０と、中間転写ベルト４２を挟んで各色の像保持体３４の反対側に夫々配置される一次転写ロール５２とを備えている。
【００２６】
これにより、各色の画像形成ユニット１６の像保持体３４上に順次形成されたイエロー（Ｙ）、マゼンタ（Ｍ）、シアン（Ｃ）、ブラック（Ｋ）の各色のトナー画像が、各色の一次転写ロール５２によって、中間転写ベルト４２上に多重に転写されるようになっている。
【００２７】
さらに、中間転写ベルト４２の外周面に接して中間転写ベルト４２の外周面を清掃する清掃ブレード５６が、中間転写ベルト４２を挟んで駆動ロール４６の反対側に配置されている。また、中間転写ベルト４２を挟んで従動ロール５０の反対側には、中間転写ベルト４２上に転写されたトナー画像を、搬送されるシート部材Ｐに転写する二次転写ロール２２が設けられている。
【００２８】
以上により、中間転写ベルト４２上に多重に転写されたイエロー（Ｙ）、マゼンタ（Ｍ）、シアン（Ｃ）、ブラック（Ｋ）の各色のトナー画像は、中間転写ベルト４２によって搬送される。搬送されるトナー画像は、従動ロール５０と二次転写ロール２２とに挟まれ、後述する供給搬送ユニット３０により搬送経路６０に沿って搬送されてきたシート部材Ｐに二次転写されるようになっている。
【００２９】
〔供給搬送ユニット〕
次に、シート部材Ｐを供給して搬送する供給搬送ユニット３０について説明する。
【００３０】
供給搬送ユニット３０は、装置本体１０Ａ内において露光装置１４の鉛直方向下方に配置され、複数のシート部材Ｐが積載される給紙部材６２を備えている。
【００３１】
さらに、供給搬送ユニット３０は、給紙部材６２に積載されたシート部材Ｐを搬送経路６０へ送り出す給紙ロール６４と、給紙ロール６４によって送り出されたシート部材Ｐを１枚ずつ分離する分離ロール６６と、シート部材Ｐの搬送タイミングを合わせる位置合せロール６８と、を備えている。そして、各ロールが、シート部材Ｐの搬送方向上流側から下流側に向けてこの順番で配置されている。
【００３２】
この構成により、給紙部材６２から供給されたシート部材Ｐは、回転する位置合せロール６８によって中間転写ベルト４２と二次転写ロール２２とが接触する位置（二次転写位置）へ定められたタイミングで送り出されるようになっている。
【００３３】
さらに、供給搬送ユニット３０は、定着装置４４によって一方の面にトナー画像が定着されたシート部材Ｐを、排出ロール２８によって排出部２６にそのまま排出させずに、他方の面にトナー画像を形成するために用いる両面搬送装置７０を備えている。
【００３４】
そして、この両面搬送装置７０は、排出ロール２８から位置合せロール６８に向けてシート部材Ｐの表裏を反転させるようにシート部材Ｐが搬送される両面搬送経路７２と、両面搬送経路７２に沿ってシート部材Ｐを搬送する搬送ロール７４及び搬送ロール７６とを備えている。
（全体構成の作用）
この構成により、以下のようにシート部材Ｐに画像が形成される。
【００３５】
先ず、画像処理部１２から露光装置１４に各色の階調データが順次出力さる。そして、この露光装置１４から階調データに応じて出射されたレーザ光ＬＢ−Ｙ、ＬＢ−Ｍ、ＬＢ−Ｃ、ＬＢ−Ｋは、帯電部材３６によって帯電した像保持体３４の外周面を走査露光する（主走査方向に露光する）。これにより、像保持体３４の外周面には静電潜像が形成される。像保持体３４上に形成された静電潜像は、各色の現像器３８によって現像され、それぞれイエロー（Ｙ）、マゼンタ（Ｍ）、シアン（Ｃ）、ブラック（Ｋ）の各色のトナー画像として可視化される。
【００３６】
さらに、一次転写ユニット１８の一次転写ロール５２によって、像保持体３４上に形成されたイエロー（Ｙ）、マゼンタ（Ｍ）、シアン（Ｃ）、ブラック（Ｋ）の各色のトナー画像が、周回する中間転写ベルト４２上に多重に転写される。
【００３７】
周回する中間転写ベルト４２上に多重に転写された各色のトナー画像は、給紙部材６２から給紙ロール６４、分離ロール６６、位置合せロール６８によって搬送経路６０に沿って搬送されてきたシート部材Ｐに二次転写ロール２２によって二次転写される。
【００３８】
さらに、トナー画像が転写されたシート部材Ｐは、定着装置４４へと搬送される。そして、トナー画像が定着装置４４によってシート部材Ｐに定着される。トナー画像が定着されているシート部材Ｐは、排出ロール２８によって排出部２６に排出される。
【００３９】
一方、シート部材Ｐの両面に画像を形成させる場合は、定着装置４４によって一方の面（表面）にトナー画像が定着されたシート部材Ｐは、排出ロール２８によって排出部２６にそのまま排出されない。排出ロール２８を逆転させることで、シート部材Ｐの搬送方向が切り替えられる。そして、このシート部材Ｐは、搬送ロール７４、７６により両面搬送経路７２に沿って搬送される。
【００４０】
両面搬送経路７２に沿って搬送されるシート部材Ｐは、表裏が反転されて再度位置合せロール６８へと搬送される。今度は、シート部材Ｐの他方の面（裏面）にトナー画像が転写・定着された後、シート部材Ｐは、排出部２６に排出ロール２８によって排出される。
（要部構成）
次に、露光装置１４に備えられた透過ガラス４０を清掃するために露光装置１４に備えられた構成、透過ガラス４０を清掃するために装置本体１０Ａに備えられた構成、及び透過ガラス４０を清掃するために用いられる清掃部材１００について説明する。なお、各色の透過ガラス４０は同様の構成とされている。
【００４１】
〔露光装置の構成〕
図１、図２に示されるように、露光装置１４に設けられた透過ガラス４０は、露光装置１４から像保持体３４に向けて出射されるレーザ光が主走査方向（一方向：矢印Ｄ方向）に偏光走査されるため、主走査方向に延びている。さらに、透過ガラス４０は、矢印Ｄ方向から見て、水平方向に対して傾斜している（図８参照）。
【００４２】
この透過ガラス４０に対して矢印Ｄ方向における装置奥側には、剥離部の一例としての凹凸部８０が、筐体１４Ａの一部に形成されている。凹凸部８０は、底面及び頂面を備え、凹凸部８０の頂面は、透過ガラス４０の表面より高くされている。
【００４３】
さらに、矢印Ｄ方向において、透過ガラス４０と凹凸部８０との間には、凹凸部８０よりも深く形成された凹状の回収部８２が、筐体１４Ａの一部に形成されている。
【００４４】
一方、透過ガラス４０の幅方向（矢印Ｄ方向に対して交差する方向）の外側には、透過ガラス４０に対して筐体１４Ａの内部側に入り込むように形成された外側回収部８４が、筐体１４Ａの一部に形成されている。
【００４５】
具体的には、外側回収部８４は凹状とされ、外側回収部８４の底板８４Ａから立ち上がった矢印Ｄ方向に延びる側板８４Ｂの頂面に透過ガラス４０が載せられている。なお、本実施形態では、板部材を折り曲げて凹状の外側回収部８４が形成されたが、板部材を折り曲げることなく板部材に凹部を形成して凹状の外側回収部を形成してもよい。
【００４６】
〔装置本体の構成〕
図６、図７には、画像形成装置１０の正面に着脱可能とされたメンテナンスカバーが、離脱された状態の画像形成装置１０の正面図が記載されている。
【００４７】
図６、図７に示されるように、画像形成装置１０の装置本体１０Ａに備えられた正面板９０には、各色の透過ガラス４０と対応するように、外部から挿入される清掃部材１００（図５参照）が通過する矩形状の開口９２が、夫々形成されている。そして、矢印Ｄ方向から見て、開口９２は、透過ガラス４０の傾斜に沿って傾斜し、外部から透過ガラス４０の一部が見えるように配置されている。
【００４８】
図４に示されるように、各開口９２の上縁には、開口９２内に向けて突出する２本の突出部９２Ａが形成されている。
【００４９】
また、これらの突出部９２Ａを開口９２の上縁に沿って挟むように清掃部材１００（図５参照）を、矢印Ｄ方向（図２参照）に沿って案内する一対の案内レール９４が、設けられている。案内レール９４は、透過ガラス４０の板面に沿った第一案内面９４Ａと、第一案内面９４Ａに対して交差（本実施例では直交）する第二案内面９４Ｂとを備えている。
【００５０】
さらに、開口９２Ｋの隣りであって、画像形成ユニット１６Ｋの鉛直方向下側には、清掃部材１００が収納される収納部９６が設けられている。
【００５１】
〔清掃部材〕
次に、清掃部材１００について説明する。
【００５２】
図５に示されるように、清掃部材１００は、長尺状の棒部１０２と、棒部１０２の一端側に形成された把持部１０４と、棒部１０２の他端側に取り付けられた清掃部１０６とを備えている。
【００５３】
清掃部１０６は、棒部１０２の長手方向から見て凹状とされるベース１０８と、ベース１０８に固定され、弾性材料（例えばスポンジ材）で形成された弾性部１１０と、ベース１０８とで弾性部１１０を挟むように弾性部１１０に固定された不織布で形成された拭取部１１２とを備えている。
【００５４】
凹状とされたベース１０８の一対の側板１０８Ａに挟まれるように棒部１０２の他端側が、ベース１０８の底板１０８Ｂの板面に固定されている。また、底板１０８Ｂにおいて棒部１０２が固定された板面とは反対側の板面に、弾性部１１０が固定されている。
【００５５】
これにより、図３に示されるように、拭取部１１２が透過ガラス４０に接触するように清掃部１０６を開口９２に挿入すると、ベース１０８が、案内レール９４の第一案内面９４Ａと第二案内面９４Ｂとに接触しながら案内レール９４によって矢印Ｄ方向（図２参照）に案内されるようになっている。
【００５６】
一方、清掃部１０６の上下を逆にして清掃部１０６を開口９２に挿入しようとすると、突出部９２Ａに、ベース１０８が当たり清掃部１０６が開口９２に挿入されないようになっている。
（要部構成の作用）
次に、透過ガラス４０に付着したトナー等の異物を清掃する清掃作業について説明する。
【００５７】
図３、図５に示されるように、ユーザは、清掃部材１００を収納部９６から取り出して清掃部材１００の把持部１０４を把持し、拭取部１１２が透過ガラス４０に接触するように清掃部１０６を開口９２に挿入する。そして、ユーザは、清掃部１０６を装置本体１０Ａの奥側に押し込む。
【００５８】
これにより、図１、図３に示されるように、拭取部１１２が透過ガラス４０に接触した状態で、清掃部１０６は、案内レール９４よって矢印Ｄ方向に案内される。
【００５９】
移動する清掃部１０６により、清掃部１０６の先端側（図中右側）には、透過ガラス４０に付着した異物が掻き集められる。また、透過ガラス４０に付着した異物が、拭取部１１２によって拭き取られる。
【００６０】
さらに、ユーザが清掃部１０６を装置本体１０Ａの奥側に押し込と、清掃部１０６の先端側に掻き集められた異物は、回収部８２へ落下して回収部８２で回収される（透過ガラス４０の一方向の一側から落ちる異物が回収部８２によって回収される）。その後、清掃部１０６は、凹凸部８０に到達し、さらに、凹凸部８０を通過する。清掃部１０６が凹凸部８０を通過することで、拭取部１１２が凹凸部８０と擦れる。
【００６１】
これにより、拭取部１１２に付着して回収部８２によって回収されなかった異物は、拭取部１１２から剥離して凹凸部８０で回収される。
【００６２】
一方、清掃部１０６の先端側に掻き集められて回収部８２に到達する前に、透過ガラス４０の幅方向の外側に寄せられた異物は、透過ガラス４０から落下して外側回収部８４（図２参照）で回収される（透過ガラス４０の幅方向の端部から落ちる異物が、外側回収部８４によって回収される）。
【００６３】
清掃部１０６が装置本体１０Ａの奥側に押し切られ、清掃部１０６によって掻き集められた異物、及び拭取部１１２に付着した異物が回収された後、ユーザは、清掃部材１００を装置本体１０Ａの手前側に引き、清掃部１０６を開口９２から引き出す。これにより、透過ガラス４０の清掃作業が終了する。
【００６４】
清掃作業が終了すると、ユーザは、清掃部材１００を収納部９６に収納する。
【００６５】
以上説明したように、清掃部１０６が凹凸部８０を通過する前に、清掃部１０６の先端側に掻き集められた異物が、回収部８２及び外側回収部８４で回収されることで、移動する清掃部材１００によって掻き集められた異物が、効果的に回収される。つまり、清掃部１０６を往復移動させるワンアクションで、透過ガラス４０に付着した異物が回収される。また、回収部８２が形成されていないと、早い時期に凹凸部８０に異物が詰まってしまう。
【００６６】
また、清掃部１０６を装置本体１０Ａに対して押し込むことで、清掃部１０６によって掻き集められた異物が回収部８２及び外側回収部８４で回収され、拭取部１１２に付着した異物が凹凸部８０で回収される。このため、清掃部１０６を装置本体１０Ａから引き出す際に、異物が清掃部１０６から透過ガラス４０に再付着するのが抑制される。
【００６７】
また、回収部８２を凹凸部８０より深く形成することで、回収部８２と凹凸部８０との深さが同等の場合と比して、より多くの異物が回収部８２で回収される。
【００６８】
また、清掃部１０６が凹凸部８０を通過する前に、清掃部材１００で掻き集められた異物が回収されることで、凹凸部８０に異物が詰まるのが抑制される。
【００６９】
また、異物が清掃部１０６から透過ガラス４０に再付着するのが抑制されるため、透過ガラス４０に付着した異物が効果的に除去される。
【００７０】
また、透過ガラス４０に付着した異物が効果的に除去されることで、露光装置１４の透過ガラス４０の汚れに起因する出力画像の劣化が抑制される。
【００７１】
また、清掃部１０６を装置本体１０Ａから引き出す際に、異物が清掃部１０６から透過ガラス４０へ再付着するのが抑制されるため、清掃部材１００の往路及び復路が共通化される。
【００７２】
また、清掃部１０６の上下を逆にして清掃部１０６を開口９２に挿入しようとすると、突出部９２Ａに、ベース１０８が当たり清掃部１０６が開口９２に挿入されないようになっている。このため、清掃部１０６の誤挿入が抑制される。
【００７３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、外側回収部８４を透過ガラス４０の幅方向両側に形成したが、特に透過ガラスの長手方向から見て透過ガラスが傾斜している場合には、透過ガラスに対して鉛直方向下方となる幅方向一方側だけに外側回収部を設けてもよい。
【符号の説明】
【００７４】
１０          画像形成装置
１４          露光装置
１４Ａ        筐体
３４          像保持体
３８          現像器
４０          透過ガラス（透過部材の一例）
５４          半導体レーザ（光源の一例）
８０          凹凸部（剥離部の一例）
８２          回収部
８４          外側回収部
１００        清掃部材
【図１】
2013193382.tif 000003
【図２】
2013193382.tif 000004
【図３】
2013193382.tif 000005
【図４】
2013193382.tif 000006
【図５】
2013193382.tif 000007
【図６】
2013193382.tif 000008
【図７】
2013193382.tif 000009
【図８】
2013193382.tif 000010